(57)【特許請求の範囲】
【請求項１】
操作釦などのプッシュ操作でガス弁を開弁する点滅手段と、火力調節レバーを操作してバーナの火力をコントロールする火力調節手段と、上記操作釦などの操作に連動する連動レバーを揺動させ上記火力調節レバーを所定の火力位置に移動させる連動手段とを備えたガス燃焼器のガス量制御装置において、
上記連動レバーは、軸受部の両側に備えた支軸に揺動自在に軸支され、上記操作釦などのプッシュ操作による揺動角度範囲から外れた角度で上記軸受部から脱着できる両持ち支持構造としたことを特徴とするガス燃焼器のガス量制御装置。
【請求項２】
断面コ字状の両側平行２面の一方の側壁に軸受部の一方に設けられた丸軸に軸支できる軸孔を備え、他方の側壁には軸受部の他方に設けられた角軸に軸支できる丸孔とその径より小さく上記角軸が挿通できるスリット溝とからなる軸孔を備えた連動レバーを設け、上記連動レバーの上記揺動角度範囲から外れた角度において軸受部の軸に連動レバーの軸孔を嵌めつけ、連動レバーを上記揺動角度範囲内に変位したとき軸孔と軸とが外れないように軸支されることを特徴とする請求項１記載のガス燃焼器のガス量制御装置。
【請求項３】
軸受部の一方の丸軸に連動レバーの一方の軸孔を軸線方向から嵌めつけ、軸受部の他方の角軸には連動レバーの他方の軸孔を交叉方向からスリット溝を介して嵌めつけ、連動レバーを揺動角度範囲に変位して軸受部に連動レバーを取付け、かつ、上記連動レバーが揺動角度範囲から外れた角度へ戻らないように規制したことを特徴とする請求項１、２記載のガス燃焼器のガス量制御装置。
【請求項４】
軸受部の肩部に斜状の面とり部を設けたことを特徴とする請求項３記載のガス燃焼器のガス量制御装置。
【発明の詳細な説明】
【０００１】
【発明の属する技術分野】
この発明は、ガステーブル等のガス燃焼器のガス量制御装置に関し、詳しくは点滅装置と火力調節装置とを連動させてバーナの火力を変化させる連動装置を有するガス量制御装置に関する。
【０００２】
【従来の技術】
ガステーブル等のガス燃焼器のガス量制御装置において、たとえば、操作釦のプッシュ操作でメイン弁、マグネット弁等のガス弁を開弁する点滅装置と、火力調節レバーを操作してニードル弁を進退させることによりガス量を調節してバーナの火力をコントロールする火力調節装置とを上記操作釦の操作に連動する連動レバーを介して一定の条件下にあるときのみ連動させて、一定の条件下にあるとき、たとえば、バーナの火力をコントロールする火力調節レバーが火力「弱」又は「強」の状態にあるときに点火操作されたときは連動レバーで火力調節レバーを少なくとも火力「中」の位置まで戻した後、火力「中」のガス量で点火することにより、点火不良又は点火時にあふれた炎が着衣の袖等に引火する等の危険をなくし安全を期するようにしている。
【０００３】
そこで、従来の点滅装置と火力調節装置とを連動する連動装置の連動レバーは、たとえば、図８及び図９に示されているように、１枚の板体を略クランク状に折曲げて形成されているにすぎないから、この連動レバー２′は弁本体１４′に一体形成された軸受け３′に片持ち状に軸支され、かつ、この軸支部には連動レバー２′の抜脱を防止するための止め座、Ｃリング等の止め部材６′及び座金７′等が用いられている。
【０００４】
【発明が解決しようとする課題】
しかしながら、上記従来の技術では、連動レバーが１枚の板体で折曲げ形成され、しかも、片持ち状に軸支されているにすぎないから、操作釦のプッシュ操作により下端の押片１１′による押力を上端の押板片１３′による押動力として火力調節レバー１′に伝達して揺動する連動レバー２′の作動時に連動レバー２′にこじれが生ずるためにその作動にバラつきがあって安定性がなく、また、止め座、Ｃリング等による止め部材６′及び座金７′等が構成部品として必要なため、その組みつけ作業に多くの時間を要し作業能率の低下が著しいばかりでなく、止め部材６′、座金７′等の構成部品の増大と相まってコスト的にも相当高くなってしまうという問題点があった。
【０００５】
この発明は、上記課題を解決し、作動の安定化と組みつけ作業の能率化を図り、併せて、コスト的にも安価なガス燃焼器のガス量制御装置の提供を目的としている。
【０００６】
【課題を解決するための手段】
上記課題を解決するこの発明の第１のガス燃焼器のガス量制御装置は、
操作釦などのプッシュ操作でガス弁を開弁する点滅手段と、火力調節レバーを操作してバーナの火力をコントロールする火力調節手段と、上記操作釦などの操作に連動する連動レバーを揺動させ上記火力調節レバーを所定の火力位置に移動させる連動手段とを備えたガス燃焼器のガス量制御装置において、
上記連動レバーは、軸受部の両側に備えた支軸に揺動自在に軸支され、上記操作釦などのプッシュ操作による揺動角度範囲から外れた角度で上記軸受部から脱着できる両持ち支持構造としたことを特徴とする。
上記構成を有するこの発明の第１のガス燃焼器のガス量制御装置は、連動レバーが軸受部の両側に備えた支軸に余分な部品を用いることなく両持ち支持構造のもとに取付け軸支される。この結果、作動の安定化は勿論のこと、強度的にも強く、また、構成部品も少ないので、コスト的にも安くなる。
【０００７】
上記課題を解決するこの発明の第２のガス燃焼器のガス量制御装置は、上記第１のガス燃焼器のガス量制御装置の連動レバーが、
断面コ字状の両側平行２面の一方の側壁に軸受部の一方に設けられた丸軸に軸支できる軸孔を備え、他方の側壁には軸受部の他方に設けられた角軸に軸支できる丸孔とその径より小さく上記角軸が挿通できるスリット溝とからなる軸孔を備えた連動レバーを設け、上記連動レバーの上記揺動角度範囲から外れた角度において軸受部の軸に連動レバーの軸孔を嵌めつけ、連動レバーを上記揺動角度範囲内に変位したとき軸孔と軸とが外れないように軸支されることを特徴とする。
上記構成を有するこの発明の第２のガス燃焼器のガス量制御装置は、連動レバーの上記揺動角度範囲から外れた角度において連動レバーの一方の軸孔を軸受部の一方の丸軸に嵌めつけ、また、他方の軸孔には軸受部の他方の角軸をスリット溝を介して嵌めつけた後、連動レバーを上記揺動角度範囲内に変位すれば、軸孔と軸とが外れないように軸支される。この結果、連動レバーを軸受部にそのまま嵌めつけるだけで両持ち支持の組みつけが行いうる。
【０００８】
上記課題を解決するこの発明の第３のガス燃焼器のガス量制御装置は、上記第１及び第２のガス燃焼器のガス量制御装置において、
軸受部の一方の丸軸に連動レバーの一方の軸孔を軸線方向から嵌めつけ、軸受部の他方の角軸には連動レバーの他方の軸孔を交叉方向からスリット溝を介して嵌めつけ、連動レバーを揺動角度範囲内に変位して軸受部に連動レバーを取付け、かつ、上記連動レバーが揺動角度範囲から外れた角度へ戻らないように規制したことを特徴とする。
上記構成を有するこの発明の第３のガス燃焼器のガス量制御装置は、連動レバーの一方の軸孔を軸受部の一方の丸軸に軸線方向から嵌めつけた後、他方の軸孔は軸受部の他方の角軸に交叉方向からスリット溝を介して嵌めつけ、連動レバーを揺動角度範囲内に変位すれば、連動レバーは軸受部に両持ち支持のもとに軸支される。そして、連動レバーを揺動角度範囲から外れた角度に戻らないように周辺部品の組立て等により規制すれば、軸孔と軸とは外れることのないように組みつけられる。この結果、軸受部に対する連動レバーの取付け作業は簡易、かつ、確実に行いうる。
【０００９】
上記課題を解決するこの発明の第４のガス燃焼器のガス量制御装置は、
軸受部の肩部に斜状の面とり部を設けたことを特徴とする。
上記構成を有するこの発明の第４のガス燃焼器のガス量制御装置は、軸受部の肩部が斜状に面とりされているから、軸受部に対する断面コ字状の連動レバーの嵌めつけが円滑に行え、しかも、軸支後のガタつきも減少する。この結果、軸受部に対する連動レバーの取付け作業は容易となり、作動の安定化も図りうる。
【００１０】
【発明の実施の形態】
この発明のガス燃焼器のガス量制御装置では、たとえば、実施例に対応する図面に示されているように、操作釦のプッシュ操作でメイン弁、マグネット弁等のガス弁を開弁する点滅装置Ａと、火力調節レバー１を操作してニードル弁を進退させることによりガス量を調節してバーナの火力をコントロールする火力調節装置Ｂとを上記操作釦の操作に連動する連動レバー２を介して一定の条件下にあるときのみ連動させて上記火力調節レバーを所定の火力位置に移動させる構造のガス燃焼器のガス量制御装置において、
【００１１】
上記連動レバー２は、軸受部３の両側に備えられた支軸５、８に揺動自在に軸支され、上記操作釦などのプッシュ操作による揺動角度範囲から外れた角度で上記軸受部３から連動レバー２が脱着できる両持ち支持構造のもとに取付け軸支できるようにしている。すなわち、断面コ字状の両側平行２面の一方の側壁４に軸受部３の一方の丸軸５に連動レバー２の揺動角度範囲から外れた角度において軸線方向から嵌めつけて軸支できる軸孔６を備え、他方の側壁７には両側を面とりして形成された軸受部３の他方の角軸８に交叉方向から嵌めつけて軸支できる丸孔９ａとその径より小さく上記角軸８が挿通できるスリット溝９ｂとからなる軸孔９を備えた構造としている。そして、組みつけ後は周辺部品の組立て等により連動レバー２が揺動角度範囲から外れた角度へは戻らないように規制している。
【００１２】
上記連動レバー２にはその下端部に操作釦と連動する作動杆１０で押動されるの押片１１を備え、上端部の一側には、上記火力調節レバー１に一体形成された押動片１２を押動する押板片１３を備えて、たとえば、火力調節レバー１が火力「弱」又は「強」の位置にあるとき操作釦を押して点火操作すると、操作釦と連動する作動杆１０で押片１１を押して連動レバー２を図示反時計方向へ回転し上端部の押板片１３で火力調節レバー１の押動片１２を押動して火力調節レバー１を火力「中」の位置へ移動させ火力「中」のガス量で点火するようになしている。
【００１３】
以上この発明の実施の形態の一例について説明したが、この発明はこうした実施の形態に何ら限定されず、この発明の要旨を逸脱しない範囲において様々な形態で実施しうること勿論である。
【００１４】
以上説明したこの発明の構成、作用及び実施の形態を一層明確にするために、この発明のガス燃焼器のガス量制御装置を具体的に示した実施例について以下に図面を参照して説明する。
【００１５】
【実施例】
図１〜図７は一実施例としてのこの発明のガス燃焼器のガス量制御装置を示したものであって、Ａは点滅装置で、操作釦（図示せず）のプッシュ操作でメイン弁、マグネット弁等のガス弁を開弁してバーナへガスの供給を行いバーナを燃焼する。すなわち、点火時は操作釦を所定のストロークだけ押すと、メイン弁、マグネット弁が開き同時にスイッチＳがＯＮされてイグナイタが作動しバーナに着火する。そして、熱電対が炎を感知するとマグネット弁は開放保持される。操作釦の押圧を解くと操作釦は一定のストロークだけ後退してロックされ、メイン弁、マグネット弁は開状態に保持され燃焼状態となる。
また、消火時は操作釦を再度押すとロックが外れ操作釦は元位置に戻り、メイン弁は閉じバーナは消火する。そこで、熱電対の起電力もなくなりマグネット弁も閉じるようになっている。
【００１６】
Ｂは火力調節装置で、火力調節レバー１を操作してニードル弁を進退させることによりガス量を調節してバーナの火力をコントロールする。すなわち、弁本体１４に装備されているニードル弁（図示せず）の弁軸１５に固定された作動ピン１６を溝に係合してニードル弁を回転させる係合片１７を先端に有し、基端にはガス量を火力「強」から火力「弱」へ絞るときにガス量が急激に絞られることによるバーナの消火等を防ぐための安全装置Ｃを備えており、略中間の一側に後述する連動レバーにより火力調節レバー１を移動させるための押動片１２を備えている。
【００１７】
また、上記火力調節レバー１は、上記作動ピン１６をスライド可能に傾斜溝に係合し火力調節レバー１の回転操作でニードル弁を進退移動させるガイド片１８を有し、上記弁本体１４に取付け固定される取付け台板１９に枢支部２０で回転可能に枢支され、火力調節レバー１を回動操作することによりニードル弁が進退してバーナへのガス量が調節されバーナの火力が無段階にコントロールできるようになっている。
【００１８】
火力調節レバー１の基端に備えられている上記安全装置Ｃは、火力調節レバー１の基端部に枢支された操作レバー２１の先端係止片２２がトーションバネ２３により取付け台板１９に設けられた基端係止段部２４に係止するように付勢されていて、操作レバー２１をそのままの状態で火力「強」から火力「弱」へ移動させてもその途中（たとえば、略火力「中」の位置）で取付け台板１９の係止段部２４に火力調節レバー１側の係止片２２が係止されてその移動が一旦阻止され、その後、操作レバー２１をトーションバネ２３に抗して上方へ持ち上げると係止段部２４から係止片２２が外れ火力「弱」の位置への移動ができるようになっている。
【００１９】
また、火力調節レバー１と取付け台板１９との接合部には、取付け台板１９の接合部の両側に穿った係合支持溝２５、２６に火力調節レバー１の接合部の両側に突設した係合支持片２７、２８をスライド可能に嵌めつけて取付け台板１９に対し火力調節レバー１がその使用回動範囲において支持される支持手段を備えている。そして、取付け台板１９に一体形成されている阻止片２９に火力調節レバー１に一体形成された引掛け片３０が引掛って火力調節レバー１の使用回動範囲を規制することによりこの使用回動範囲においては上記係合支持溝２５、２６と係合支持片２７、２８との係合が保たれるようにしている。
【００２０】
２は連動装置Ｄの連動レバーで、たとえば、火力調節レバー１が火力「弱」又は「強」の状態で点火操作されたときは、操作釦の操作に連動する連動レバー２で火力調節レバー１を少なくとも火力「中」の位置まで移動し火力「中」程度のガス量で安全に点火出来るようにするためのもので、断面コ字状の両側平行２面の一方の側壁４に軸受部３の一方に設けられた丸軸５に連動レバー２の揺動角度範囲から外れた角度において軸線方向から嵌めつけて軸支できる軸孔６を備え、他方の側壁７には軸受部３の他方に設けられた角軸８に交叉方向から嵌めつけて軸支できる丸孔９ａとこの丸孔９ａの径より小さく上記角軸８が挿入脱出できるスリット溝９ｂとからなる軸孔９を備えている。なお、上記角軸８は丸軸の両側を面とりして形成されている。
【００２１】
そして、上記連動レバー２の下端部に操作釦と連動する作動杆１０で押動されるの押片１１を備え、上端部の一側には、上記火力調節レバー１に一体形成された押動片１２を押動する押板片１３を備えている。
【００２２】
上記構成において、上記連動レバー２を軸受部３に嵌めつけ軸支するときは、一方の側壁４に穿った軸孔６を軸受部３の一方の丸軸５に連動レバー２の上記揺動角度範囲から外れた角度において軸線方向ａから傾けて嵌めつけ（図６の鎖線の状態から実線の状態参照）、その後、他方の側壁７に穿った軸孔９を軸受部３の他方の角軸８に交叉方向ｂからスリット溝９ｂを介して嵌めつけ（図６の実線の状態から図７の状態参照）、上記連動レバー２を上記揺動角度範囲内に回転変位させると（図５の矢印ｃ参照）、連動レバー２は軸受部３に両持ち支持のもとに抜脱することのないよう軸支される（図５の実線の状態参照）。
【００２３】
その後、連動レバー２をその周辺部品３３の組立て時に接触させるか（図１参照）又は連動レバー２の一部を変形させて連動レバー２が上記揺動角度範囲から外れた角度へ戻らないようにする。また、図６及び図７に示されているように、軸受部３の両側の肩部の反対側を斜状に面とり３１、３２すると、軸受部３に対する断面コ字状の連動レバー２の上記嵌めつけがその幅寸法を広くしなくても円滑に行え、しかも、軸支後のガタつきも減少できる。さらに、図示した実施例は火力調節レバー１が火力「弱」の状態で点火操作される場合を示しているが、「強」の状態で点火操作される場合も逆の構造とすれば同様の動作が得られ、その他のガス量制御にも容易に実施できること勿論である。
【００２４】
【発明の効果】
この発明のガス燃焼器のガス量制御装置は、以上説明したような形態で実施され、以下に記載される効果を奏する。
【００２５】
この発明の第１のガス燃焼器のガス量制御装置は、連動レバーが軸受部の両側に備えた支軸に余分な部品を用いることなく両持ち支持構造のもとに取付け軸支できるから、作動にバラつきがなくなるため、作動の安定化が図りうるとともに、組み立て作業も嵌めて回すだけという簡単なものであるから、作業能率は向上し、均一な製品の量産が可能で、しかも、薄い板材で作ることができ、また、構成部品も少ないので、コスト的にも安くなり、また、強度的にも強く耐久性がある。
【００２６】
この発明の第２のガス燃焼器のガス量制御装置は、連動レバーの揺動角度範囲から外れた角度において連動レバーの一方の軸孔を軸受部の一方の丸軸に嵌めつけ、また、他方の軸孔には軸受部の他方の角軸を嵌めつけた後、連動レバーを揺動角度範囲内へ変位すれば、これらは外れることのないように軸支されるから、連動レバーを軸受部に嵌めつけるだけで両持ち支持の組みつけが行いうる。
【００２７】
この発明の第３のガス燃焼器のガス量制御装置は、連動レバーの一方の軸孔を軸受部の一方の丸軸に軸線方向から嵌めつけた後、他方の軸孔は軸受部の他方の角軸に交叉方向からスリット溝を介して嵌めつければ、連動レバーは軸受部に両持ち支持のもとに軸支されるから、軸受部に対する連動レバーの取付け作業は簡易、かつ、確実に行いうる。
【００２８】
この発明の第４のガス燃焼器のガス量制御装置は、軸受部の肩部に斜状の面とり部を設けたから、軸受部に対する連動レバーの嵌めつけが連動レバーの幅寸法を広くしなくても円滑に行え、しかも、軸支後のガタつきも減少する。したがって、軸受部に対する連動レバーの取付け作業は容易となり、作動も安定する。
【図面の簡単な説明】
【図１】この発明のガス燃焼器のガス量制御装置の一実施例を示した全体側面図である。
【図２】同平面図である。
【図３】連動レバー部分だけの正面図である。
【図４】連動レバー部分だけの斜視図である。
【図５】軸受部に対する連動レバーの嵌めつけ状態を示した要部だけの側面図である。
【図６】軸受部に対する連動レバーの嵌めつけ状態を示した要部だけの一部切断平面図である。
【図７】軸受部に対する連動レバーの嵌めつけ状態を示した要部だけの一部切断平面図である。
【図８】従来のガス燃焼器のガス量制御装置の一例を示した側面図である。
【図９】その要部だけの正面図である。
【符号の説明】
１…火力調節レバー、２…連動レバー、３…軸受部、４…連動レバーの一方の側壁、５…軸受部の一方の丸軸、６…一方の側壁に穿った軸孔、７…連動レバーの他方の側壁、８…軸受部の他方の角軸、９…他方の側壁に穿った軸孔。
【図１】
0003729474.tif 000002
【図２】
0003729474.tif 000003
【図３】
0003729474.tif 000004
【図４】
0003729474.tif 000005
【図５】
0003729474.tif 000006
【図６】
0003729474.tif 000007
【図７】
0003729474.tif 000008
【図８】
0003729474.tif 000009
【図９】
0003729474.tif 000010